(57)【要約】【課題】容易に所望の多目的空間を創出することができる間仕切り構造を提供する。【解決手段】部屋を間仕切りするときには、所望のパネル１、１Ａ、１Ｂ、又は２を、パネル収納ボックス１１から取り出して、パネル移動用レール２４に乗せて、引き戸の要領でパネル移動用レール２４をガイドとして移動させる。このようにして、所望の位置まで所望のパネル１、１Ａ、１Ｂ、２を全て移動させると、これらをパネル固定金具５にて固定する。そうすると、部屋が目的に応じた小区画の部屋に間仕切りされる。このような間仕切りが完了したときには、必要な電気配線も完了している。一方、間仕切りされた小部屋を元に戻すときには、上記と逆の操作により、配線パネル１、１Ａ、１Ｂ、２をそれぞれ、パネル移動用レール２４をガイドとして移動させて、パネル収納ボックス１１内に収納する。そうすると、間仕切りされていた小部屋が連通されて元に戻る。【選択図】図１
2005213737.tif 000002
【特許請求の範囲】
【請求項１】
所定の部屋を間仕切りするための構造であって、
商用電源を供給する配線ダクトに接続された電気配線を含むと共に、この電気配線に接続された電気機器が組み込まれた配線パネルと、
前記配線パネルを自由に引き出し可能に収納するパネル収納ボックスと、
前記部屋に予め敷設されて、前記配線パネルと前記配線ダクトとの電気的接触を維持しつつ、前記配線パネルの移動をガイドするガイド手段と、
を備えることを特徴とする可動式間仕切り構造。
【請求項２】
請求項１記載の配線パネルにおいて、
前記配線パネルは、
前記電気配線に接続された異種の電気機器がそれぞれ組み込まれた同等形状の複数の配線パネルから構成され、
前記パネル収納ボックスは、
前記複数の配線パネルのいずれかを自由に引き出し可能に収納する、
ことを特徴とする可動式間仕切り構造。
【請求項３】
請求項２記載の配線パネルにおいて、
前記複数の配線パネルのうちのひとつとして、
前記電気配線に接続されて外部に電源供給する電源コンセント、
が組み込まれたパネルが含まれる、
ことを特徴とする可動式間仕切り構造。
【請求項４】
請求項２又は請求項３記載の可動式間仕切り構造において、
前記複数の配線パネルのうちのひとつとして、
前記電気配線に接続されて外部に電源供給する電源コンセントと、
前記電気配線に接続された折り畳み式の照明ユニットと、
前記照明ユニットの下方に配置された折り畳み式のテーブルユニットと、
が組み込まれたパネルが含まれる、
ことを特徴とする可動式間仕切り構造。
【請求項５】
請求項２〜請求項４のいずれか一項記載の可動式間仕切り構造において、
前記複数の配線パネルのうちのひとつとして、
人感センサと、
前記人感センサの出力信号に応答してオンオフする照明器具と、
が組み込まれた開閉ドア式パネルが含まれる、
ことを特徴とする可動式間仕切り構造。
【請求項６】
請求項１〜請求項５のいずれか一項記載の可動式間仕切り構造において、
前記配線パネルには、
所定操作に応じて前記ガイド手段に接触して、前記配線パネルを固定するパネル固定金具が組み込まれている、
ことを特徴とする可動式間仕切り構造。
【発明の詳細な説明】
【技術分野】
【０００１】
本発明は、可動式の間仕切り構造に関し、特に、所定の部屋を間仕切りして所望の多目的空間を創出できる間仕切り構造に関する。
【背景技術】
【０００２】
従来の間仕切り構造としては、例えば、下記特許文献１に示されるような、電気配線が組み込まれた配線パネルを用いたものが提案されている。図６は、従来の間仕切り構造を示す図である。
【０００３】
図６に示すように、従来の間仕切り構造に使用される配線パネル９０には、２枚のパネル板部材に挟まれるようにして、電気配線９３や電源コンセント９４が組み込まれている。電気配線９３の一端は、天井に配置された配線ダクト９２に接続されており、ここから電源供給を受けて電源コンセント９４に分配するようになっている。
【０００４】
このような配線パネル９０は、電気配線が施されていない標準パネル９１と適宜組み合わされ、天井と床ＦＬとの間において垂直で同一面上に並べて立て込まれて、例えば、大部屋の間仕切りとして使用される。これと共に、配線パネル９０は、間仕切りされた部屋で使用される各種電気機器に電源供給するという役割も兼ねる。
【０００５】
なお、この出願の発明に関連する先行技術文献情報としては次のものがある。
【特許文献１】特開平９−１２１４２９号公報
【発明の開示】
【発明が解決しようとする課題】
【０００６】
ところが、上述のような従来の間仕切り構造には以下の問題がある。すなわち、従来、間仕切りする度に、各配線パネル９０を所定の保管場所から所定の位置までそれぞれ運搬する必要があった。また、間仕切りする度に、各配線パネル９０の電気配線９３をそれぞれ配線ダクト９２に接続する等の電気配線作業が必要であった。要するに、従来の間仕切り構造は、取り扱いが容易ではないという大きな問題があった。
【０００７】
よって本発明は、上述した現状に鑑み、容易に所望の多目的空間を創出することができる間仕切り構造を提供することを課題としている。
【課題を解決するための手段】
【０００８】
上記課題を解決するためになされた請求項１記載の可動式間仕切り構造は、所定の部屋を間仕切りするための構造であって、商用電源を供給する配線ダクトに接続された電気配線を含むと共に、この電気配線に接続された電気機器が組み込まれた配線パネルと、前記配線パネルを自由に引き出し可能に収納するパネル収納ボックスと、前記部屋に予め敷設されて、前記配線パネルと前記配線ダクトとの電気的接触を維持しつつ、前記配線パネルの移動をガイドするガイド手段と、を備えることを特徴とする。
【０００９】
上記課題を解決するためになされた請求項２記載の可動式間仕切り構造は、請求項１記載の配線パネルにおいて、前記配線パネルは、前記電気配線に接続された異種の電気機器がそれぞれ組み込まれた同等形状の複数の配線パネルから構成され、前記パネル収納ボックスは、前記複数の配線パネルのいずれかを自由に引き出し可能に収納する、ことを特徴とする。
【００１０】
請求項１及び請求項２記載の発明によれば、電気機器が組み込まれた配線パネル、及び異種の電気機器がそれぞれ組み込まれた同等形状の複数の配線パネルはいずれも、パネル収納ボックスから自由に引き出し可能であり、引き出された後にはガイド手段にて配線ダクトとの電気的接触が維持されつつ所定場所までガイドされる。
【００１１】
上記課題を解決するためになされた請求項３記載の可動式間仕切り構造は、請求項２記載の配線パネルにおいて、前記複数の配線パネルのうちのひとつとして、前記電気配線に接続されて外部に電源供給する電源コンセント、が組み込まれたパネルが含まれる、ことを特徴とする。
【００１２】
請求項３記載の発明によれば、複数の配線パネルのうちのひとつとして、電気配線に接続されて外部に電源供給する電源コンセントが組み込まれたパネルが含まれるので、商用電源で駆動する任意の電子機器を利用可能な部屋を創出することができる。
【００１３】
上記課題を解決するためになされた請求項４記載の可動式間仕切り構造は、請求項２又は請求項３記載の可動式間仕切り構造において、前記複数の配線パネルのうちのひとつとして、前記電気配線に接続されて外部に電源供給する電源コンセントと、前記電気配線に接続された折り畳み式の照明ユニットと、前記照明ユニットの下方に配置された折り畳み式のテーブルユニットと、が組み込まれたパネルが含まれる、ことを特徴とする。
【００１４】
請求項４記載の発明によれば、複数の配線パネルのうちのひとつとして、電源コンセントと、折り畳み式の照明ユニットと、折り畳み式のテーブルユニットと、が組み込まれたパネルが含まれるので、間仕切りと同時に電源コンセント、照明及びテーブルが装備された部屋を創出することができる。
【００１５】
上記課題を解決するためになされた請求項５記載の可動式間仕切り構造は、請求項２〜請求項４のいずれか一項記載の可動式間仕切り構造において、前記複数の配線パネルのうちのひとつとして、人感センサと、前記人感センサの出力信号に応答してオンオフする照明器具と、が組み込まれた開閉ドア式パネルが含まれる、ことを特徴とする。
【００１６】
請求項５記載の発明によれば、複数の配線パネルのうちのひとつとして、人感センサと、この人感センサの出力信号に応答してオンオフする照明器具と、が組み込まれた開閉ドア式パネルが含まれるので、隣部屋との往来も自由であり、夜間等において照明器具が自動点灯される部屋を創出することができる。
【００１７】
上記課題を解決するためになされた請求項６記載の可動式間仕切り構造は、請求項１〜請求項５のいずれか一項記載の可動式間仕切り構造において、前記配線パネルには、所定操作に応じて前記ガイド手段に接触して、前記配線パネルを固定するパネル固定金具が組み込まれている、ことを特徴とする。
【００１８】
請求項６記載の発明によれば、配線パネルには、配線パネルを固定するパネル固定金具が組み込まれているので、任意の場所で所望のパネルを固定することができる。
【発明の効果】
【００１９】
請求項１及び請求項２記載の発明によれば、電気機器が組み込まれた配線パネル、及び異種の電気機器がそれぞれ組み込まれた同等形状の複数の配線パネルはいずれも、パネル収納ボックスから自由に引き出し可能であり、引き出された後にはガイド手段にて配線ダクトとの電気的接触が維持されつつ所定場所までガイドされる。したがって、電気機器が組み込まれた配線パネルを引き出して、部屋を間仕切りすることにより、容易に多目的空間を創出することができる。
【００２０】
請求項３記載の発明によれば、複数の配線パネルのうちのひとつとして、電気配線に接続されて外部に電源供給する電源コンセントが組み込まれたパネルが含まれるので、商用電源で駆動する任意の電子機器を利用可能な部屋を含む多目的空間を容易に創出することができる。
【００２１】
請求項４記載の発明によれば、複数の配線パネルのうちのひとつとして、電源コンセントと、折り畳み式の照明ユニットと、折り畳み式のテーブルユニットと、が組み込まれたパネルが含まれるので、間仕切りと同時に電源コンセント、照明及びテーブルも提供される。したがって、間仕切りした後に改めて照明やテーブル等を準備する必要がなく、簡易照明及び簡易テーブルが装備された部屋を含む多目的空間を容易に創出することができる。
【００２２】
請求項５記載の発明によれば、複数の配線パネルのうちのひとつとして、人感センサと、この人感センサの出力信号に応答してオンオフする照明器具と、が組み込まれた開閉ドア式パネルが含まれるので、隣部屋との往来も自由になるうえ、夜間等において照明器具が自動点灯されるようになる。したがって、より利便性が向上した部屋を含む多目的空間を容易に創出することができる。
【００２３】
請求項６記載の発明によれば、配線パネルには、配線パネルを固定するパネル固定金具が組み込まれているので、任意の場所で所望のパネルを固定することができる。したがって、よりバラエティに富んだ多目的空間を容易に創出できる。
【発明を実施するための最良の形態】
【００２４】
以下、本発明の実施の形態を図面に基づいて説明する。
【００２５】
[第１実施形態]
図１は、本発明の可動式間仕切り構造の第１実施形態を示す図である。図２は、図１の配線パネルのガイド機構を示す図である。図３は、図１のパネル収納ボックスを示す図である。
【００２６】
図１に示すように、第１実施形態における配線パネル１には、２枚のパネル板部材に挟まれるようにして、電気配線３や電源コンセント４が組み込まれている。電気配線３の一端は、天井に配置された電源分岐ユニット２３から分岐する配線ダクト１０に接続されており、ここから電源供給を受けて電源コンセント４に分配するようになっている。また、配線パネル１には、ハンドルの所定操作に応じて後述のパネル移動用レール２４（図２参照）に接触して、この配線パネル１を固定するパネル固定金具５も組み込まれている。
【００２７】
このような配線パネル１は、電気配線が施されていない標準パネル２と適宜組み合わされ、天井と床ＦＬとの間において並設されて、例えば、大部屋の間仕切りとして使用される。これと共に、配線パネル１は、間仕切りされた小部屋で使用される各種電気機器に電源供給するという役割も兼ねる。標準パネル２は、配線パネル１と同等形状をしているが、電気配線３や電源コンセント４及び後述の上述のテーブルユニットや照明器具等は組み込まれていない。なお、各配線パネル１及び各標準パネル２は基本的に全て同等の外形をしており、必要に応じてパネル収納ボックス１１から引き出されて使用される。パネル収納ボックス１１は、躯体２１の角部分に設けることが好ましい。
【００２８】
詳しくは、配線パネル１は、図２に示すように、その上端部近傍にガイドコロ２５を備えている。ガイドコロ２５は、建物の躯体２１に予め敷設されたパネル移動用レール２４にガイドされて、配線パネル１をレール敷設範囲内の任意の場所にスムーズに移動可能にする。パネル移動用レール２４は、配線パネル１及び標準パネル２が移動されると想定される場所に予め敷設されている。パネル移動用レール２４は、例えば、図１の配線ダクト１０の下方あたりに配線ダクト１０と平行な一本のレール状に延設されている。このパネル移動用レール２４には、下向きに一対の電源供給用電極２２も設けられている。電源供給用電極２２は、配線ダクト１０に内包されるケーブルである電気配線２６に接続されている。
【００２９】
配線パネル１の上端の一部には、上記電源供給用電極２２に、電気的に接触可能な一対の接触子３０が設けられている。接触子３０は、配線パネル１がパネル移動用レール２４に沿って移動され固定されたとき、配線ダクト側（電気配線２６）との電気的接触が維持されるようになっている。接触子３０は、移動時には電極２２に接触していないが、固定操作により、この電気的接触が維持されるように配置される。これは、配線パネル１の上端の他の一部から、固定金具５のハンドルの所定操作により、上記パネル固定金具５の端部が上方に突出すると同時に行われる。すなわち、ハンドルが所定操作により、図中、矢印で示す方向に、パネル固定金具５の端部が突出してパネル移動用レール２４に接触して突っ張り、これにより配線パネル１が固定され、電気的回路が確立する。
【００３０】
天井２７は、配線パネル１の厚さよりもやや広めで配線パネル１の全移動範囲に対応する長さぶん開口している。このため、天井２７と配線パネル１との間に若干の隙間ができるが、これは、例えば、天井２７に設けられたラバー製の防塵カバー２８でカバーされている。
【００３１】
なお、標準パネル２も上記配線パネル１に準じた構成となるが、標準パネル２には電気配線３等が含まれないので、接触子３０に替えて、これと同形状の樹脂製の摺動部材が設けられる。上記電源供給用電極２２を含むパネル移動用レール２４は、請求項中のガイド手段に対応する。ガイド手段は、必ずしも、天井側に設ける必要はなく、配線ダクトと共に床側に設けてもよい。
【００３２】
また、図３に示すように、パネル収納ボックス１１には、配線パネル１及び標準パネル２が、自由に引き出し可能に収納される。パネル収納ボックス１１の外形は、いわゆる、戸袋のような形状であり、例えば、アルミ製である。収納ボックス１１は、天井と床ＦＬに垂直に挟まれるように、固定壁のように配置されていている。図３に示すように、パネル収納ボックス１１は、図中、両矢印で示す方向に、複数の配線パネル１及び標準パネル２を移動させて、これらのいずれも、図中、片矢印で示す方向に、自由に引き出して、パネル移動用レール２４に乗せることができるような大きさ及び取り出し口を有する。
【００３３】
このように、第１実施形態では、電気配線３に接続されて外部に電源供給する電源コンセント４が組み込まれた配線パネル１が含まれるので、ＯＡ機器をはじめとする商用電源で駆動する任意の電子機器を利用可能な部屋を含む多目的空間を容易に創出することができる。
【００３４】
[第２実施形態]
図４は、本発明の可動式間仕切り構造の第２実施形態において使用される配線パネルを示す図である。第２実施形態において使用される配線パネル１Ａは、例えば、図１中の配線パネル１や標準パネル２に替えて使用可能である。或いは、図１中の配線パネル１や標準パネル２に加えて、配線パネル１Ａを使用してもよい。
【００３５】
図４に示すように、この配線パネル１Ａは、折り畳み式の照明ユニット３４及びテーブルユニット３５が組み込まれている。照明ユニット３４は、収納時にはパネルと平行になるように折り畳まれているが、使用時には、図中、矢印で示すように、パネルと垂直になるように起こされる。照明ユニット３４は、例えば、蛍光灯ランプ等の照明器具３３が内蔵されている。照明器具３３は、照明用スイッチ３１を介して電気配線２９に接続され、照明用スイッチ３１の操作に応じてオンオフされる。電気配線２９は、第１実施形態で説明した電気配線３と同様であり、配線ダクト１０からの電源を照明器具３３に供給する。また、電気配線２９には、ＯＡ機器等の所望の電気機器を接続可能な電源コンセント３２も接続されている。
【００３６】
テーブルユニット３５も、収納時にはパネルと平行になるように折り畳まれているが、使用時には、図中、矢印で示すように、パネルと垂直になるように起こされる。照明ユニット３４及びテーブルユニット３５が起こされると、ちょうど、手元スタンド付きのカウンタのような感じになる。そして、電源コンセント３２を使用してパーソナルコンピュータ等が使用可能となる。なお、インターネットの利用も想定して、配線パネル１Ａには、通信用ケーブルも組み込んでおくことが好ましい。配線パネル１Ａもまた、上記配線パネル１と同様、図１及び図２で示しような、パネル固定金具５及びガイド機構を有している。照明ユニット３４及びテーブルユニット３５が折り畳まれると、配線パネル１Ａは、図３に示した配線パネル１及び標準パネル２と同様に、パネル収納ボックス１１に収納可能な厚さになる。
【００３７】
このように、第２実施形態では、電源コンセント３２と、折り畳み式の照明ユニット３３と、折り畳み式のテーブルユニット３５と、が組み込まれた配線パネル１Ａが含まれるので、間仕切りと同時に電源コンセント、照明及びテーブルも提供される。したがって、間仕切りした後に改めて照明器具やテーブル等を準備する必要がなく、簡易照明及び簡易テーブルが装備された部屋を含む多目的空間を容易に創出することができる。
【００３８】
[第３実施形態]
図５は、本発明の可動式間仕切り構造の第３実施形態において使用される配線パネルを示す図である。第３実施形態において使用される配線パネル１Ｂは、例えば、図１中の配線パネル１や標準パネル２に替えて使用可能である。或いは、図１中の配線パネル１や標準パネル２に加えて、更には図４に示した配線パネル１Ａと共に、配線パネル１Ｂを使用してもよい。
【００３９】
図５に示すように、この配線パネル１Ｂは、ドアフレーム４０及びドア４１から基本構成される。ドアフレーム４０及びドア４１は、蝶番４４を介して連結されており、ドアノブ４２を旋回、押引操作することによりドア４１が開閉可能である。ドアノブ４２は、非常用ドア等に用いられている折り畳み式の周知のドア組込型のものが好ましい。ドアフレーム４０及びドア４１に、周知のロック機構を設けてもよい。ドア４１には、人感センサ４３及び薄型の照明器具３３′が組み込まれている。照明器具３３′は、人感センサ４３を介して電気配線２９に接続され、人感センサ４３の出力信号に応答してオンオフされる。電気配線２９は、第１実施形態で説明した電気配線３と同様、配線ダクト１０からの電源を照明器具３３′に供給する。
【００４０】
ここで、パネル固定金具５はドアフレーム４０に組み込まれているが、その固定機構は、上記第１実施形態と同様である。また、配線パネル１Ｂのガイド機構も上記第１実施形態と同様である。配線パネル１Ｂも、図３に示した配線パネル１及び標準パネル２と同様に、パネル収納ボックス１１に収納可能な厚さになっている。
【００４１】
このように、第３実施形態では、人感センサ４３と、この人感センサ４３の出力信号に応答してオンオフする照明器具３３′と、が組み込まれた開閉ドア式の配線パネル１Ｂが含まれるので、隣部屋との往来も自由になるうえ、夜間等においてドアに近づいただけで照明が自動点灯されるようになる。したがって、より利便性が向上した部屋を含む多目的空間を容易に創出することができる。
【００４２】
上述してきた配線パネル１、１Ａ、１Ｂや標準パネル２がパネル収納ボックス１１に所定枚数づつ収納されていて、これらパネル１、１Ａ、１Ｂ、２を用いて部屋を間仕切りするときには、図３に示したように、所望のパネル１、１Ａ、１Ｂ、又は２を、パネル収納ボックス１１から取り出して、パネル移動用レール２４に乗せて、引き戸の要領でパネル移動用レール２４をガイドとして移動させる。このようにして、所望の位置まで所望のパネル１、１Ａ、１Ｂ、２を全て移動させると、これらをパネル固定金具５にて固定する。そうすると、例えば、大部屋が目的に応じた小区画の部屋に間仕切りされる。このような間仕切りが完了したときには、必要な電気配線も完了している。そして、必要な電気機器類を電源コンセント４、３２に接続して、間仕切りされた小部屋内でこれを使用することができる。
【００４３】
一方、間仕切りされた部屋を元に戻すときには、上記と逆の操作により、配線パネル１、１Ａ、１Ｂ、２をそれぞれ、パネル移動用レール２４をガイドとして移動させて、パネル収納ボックス１１内に収納する。そうすると、間仕切りされていた部屋が連通されて元に戻る。
【００４４】
このように、本発明の実施形態によれば、異種の電気機器がそれぞれ組み込まれた同等形状の各配線パネル１、１Ａ、１Ｂ、２はいずれも、パネル収納ボックス１１から自由に引き出し可能であり、引き出された後にはパネル移動用レール２４にて配線ダクト１０との電気的接触が維持されつつ所定場所までガイドされる。したがって、所望の電気機器が組み込まれた配線パネルを組み合わせて部屋を間仕切りすることにより、所望の多目的空間を容易に創出することができる。
【００４５】
なお、配線パネル１、１Ａ、１Ｂ、２は全て使用或いは収納される必要はない。例えば、第１実施形態のように、配線パネル１及び標準パネル２のみを使用するようにしてもよいし、第１実施形態〜第３実施形態で示した全ての配線パネル１、１Ａ、１Ｂ及び標準パネル２を使用するようにしてもよい。これらを目的に合わせて任意に選択し、所望の多目的空間を構築することができる。また、上記実施形態では、電源線を組み込んだパネルを例示しているが、電話回線やＬＡＮ回線等の信号線を組み込んだパネルとしてもよい。更に、上述したようにガイド機構としてレールを床に敷設してもよい。本発明は、その主旨の範囲で小変更されたものも含むものである。
【図面の簡単な説明】
【００４６】
【図１】本発明の可動式間仕切り構造の第１実施形態を示す図である。
【図２】図１の配線パネルのガイド機構を示す図である。
【図３】図１のパネル収納ボックスを示す図である。
【図４】本発明の可動式間仕切り構造の第２実施形態を示す図である。
【図５】本発明の可動式間仕切り構造の第３実施形態を示す図である。
【図６】従来の間仕切り構造を示す図である。
【符号の説明】
【００４７】
１、１Ａ、１Ｂ  配線パネル
２  標準パネル
３、２９  電気配線
４、３２  電源コンセント
５  パネル固定金具
１１  収納ボックス
３３、３３′  照明器具
３４  照明ユニット
３５  テーブルユニット
４１  ドア
４３  人感センサ
【図１】
2005213737.tif 000003
【図２】
2005213737.tif 000004
【図３】
2005213737.tif 000005
【図４】
2005213737.tif 000006
【図５】
2005213737.tif 000007
【図６】
2005213737.tif 000008